【事件の表示】
　特許第３３０４２６７号「非水系二次電池及び負極活物質の製造方法」の請求項１ないし１４、１７に係る特許に対する特許異議の申立てについて、次のとおり決定する。
【結　論】
　特許第３３０４２６７号の請求項１ないし１４、１７に係る特許を維持する。
【理　由】
１．本件発明
　特許第３３０４２６７号（平成８年１０月９日出願、優先権主張平成８年５月２３日、平成１４年５月１０日設定登録）の請求項１〜１４、１７に係る発明（以下、それぞれ「本件発明１」〜「本件発明１４」、「本件発明１７」という。）は、特許明細書及び図面の記載からみて、その特許請求の範囲の請求項１〜１４、１７に記載されたとおりの次の事項により特定されるものである。   
　「【請求項１】　表面に非晶質炭素を付着させた黒鉛粒子を負極活物質とする負極と、リチウムを含有するカルコゲン化物を正極活物質とする正極と、非水系イオン伝導体とからなり、前記負極活物質が黒鉛粒子を酸化処理した後、非晶質炭素を黒鉛粒子の表面に付着させることにより形成されることを特徴とする非水系二次電池。
【請求項２】　黒鉛粒子が、Ｘ線広角回折法による（００２）面の平均面間隔（ｄ002）が０．３３５〜０．３４０ｎｍ、（００２）面方向の結晶子厚み（Ｌｃ）が１０ｎｍ以上、（１１０）面方向の結晶子厚み（Ｌａ）が１０ｎｍ以上である請求項１に記載の非水系二次電池。
【請求項３】　黒鉛粒子が、５〜１５０ｍ2／ｇのＢＥＴ法による比表面積、０．７〜８０μｍの平均粒径を有する請求項１又は２に記載の非水系二次電池。
【請求項４】　非水系イオン伝導体が、少なくともプロピレンカーボネートとエチレンカーボネートとを含む混合溶媒からなる請求項１〜３いずれか１つに記載の非水系二次電池。
【請求項５】　プロピレンカーボネートとエチレンカーボネートとの体積比が、９：１〜１：９である請求項４に記載の非水系二次電池。
【請求項６】　プロピレンカーボネートとエチレンカーボネートとの体積比が、９：１〜５：５である請求項５に記載の非水系二次電池。
【請求項７】　カルコゲン化物が、リチウムを含有する金属酸化物である請求項１〜６いずれか１つに記載の非水系二次電池。
 【請求項８】　リチウムを含有する金属酸化物が、ＬｉXＭ1-yＮyＯ2（ここではＭはＦｅ、Ｃｏ、Ｎｉのいずれかであり、Ｎは遷移金属であり、ｘは０≦ｘ≦１、ｙは０≦ｙ≦１を表す）又はＬｉＭｎ2-zＮz０4（ここではＮは遷移金属であり、ｚは０≦ｚ≦２を表す）である講求項７に記載の非水系二次電池。
【請求項９】　リチウムを含有する金属酸化物が、ＬｉＣｏＯ2、ＬｉＮｉＯ2、ＬｉＦｅＯ2、ＬｉＭｎＯ2又はＬｉＭｎ2Ｏ4である請求項８に記載の非水系二次電池。
【請求項１０】　黒鉛粒子を空気中で酸化処理した後、非晶質炭素を黒鉛粒子の表面に付着させて負極活物質を形成することを特徴とする負極活物質の製造方法。
【請求項１１】　空気中での酸化処理が、２００〜７００℃で行われる請求項１０に記載の負極活物賀の製造方法。
【請求項１２】　非晶質炭素が、炭化水素を気相熱分解することにより黒鉛粒子の表面に付着される請求項１０又は１１に記載の負極活物質の製造方法。
【請求項１３】　酸化処理が硝酸で行われる請求項１〜９いずれれか１つに記載の非水系二次電池。
【請求項１４】　硝酸酸化の温度が２０〜１３０℃、硝酸濃度が５〜９９重量％で行われる請求項１３に記載の非水系二次電池。
【請求項１７】　黒鉛粒子を硝酸で酸化処理した後、非晶質炭素を黒鉛粒子の表面に付着させて負極活物質を形成することを特徴とする負極活物質の製造方法。」
　
２．特許異議の申立ての理由の概要
　特許異議申立人斉藤秀和は、本件の優先日前に頒布された刊行物である甲第１、２号証を提出して、本件発明１〜１４、１７は、甲第１、２号証に記載された発明に基づいて当業者が容易に発明をすることができたものであるから、本件発明１〜１４、１７の特許は、特許法第２９条第２項の規定に違反してなされたものであり、取り消されるべき旨主張している。
　甲第１号証：特開平５−９４８３８号公報
　甲第２号証：特開平６−２０６９０号公報
　　　
３．甲第１、２号証記載の発明
　甲第１、２号証には、それぞれ以下の発明が記載されている。
　
甲第１号証：特開平５−９４８３８号公報
（摘示1-1）「【請求項１】　再充電可能な正極と、再充電可能な負極とを備えた二次電池であって、該正極が金属カルコゲン化合物を含み、該負極が、下記（Ａ）の要件を満たす炭素質物の粒子状ないし繊維状の核の表面に、下記（Ｂ）の要件を満たす炭素質物の表層を形成させた複層構造の炭素質材料を主成分として構成されていることを特徴とする二次電池。
　（Ａ）・・・
　（Ｂ）・・・」（特許請求の範囲）
（摘示1-2）「本発明に用いられる再充電可能な正極は、主成分として金属カルコゲン化合物を含む。金属カルコゲン化合物としては・・・好ましくは・・・ＬｉＭｎ2 Ｏ4 ・・・ＬｉＣｏＯ2 、ＬｉＮｉＯ2 ・・・などが挙げられる。」（【００１０】）
（摘示1-3）「・・・得られた炭素質物を核として、有機化合物を不活性ガス流下に加熱して分解し、炭素化して、上記の核の表面上に新しい炭素質物の表層を形成させる。あるいは、天然黒鉛又は人造黒鉛の粒子を核として用い、同様の方法で表層を形成させてもよい。」（【００３６】）
（摘示1-4）「核となる炭素質物の表面に、表層を形成させる方法としては、次のような方法があり、任意に選択することができる。
　第１の方法は、核となる炭素質物の表面に、有機化合物を気相で熱分解させて、表層の炭素質物を形成させる方法である。・・・
　第２の方法は、核となる炭素質物の表面で、有機化合物を液相から炭素化させて、表層の炭素質物を形成させる方法である。・・・
　第３の方法は、核となる炭素質物の表面を、高分子物質で被覆して、これを加熱・分解することにより、固相で炭素化させて、表層の炭素質物を形成させる方法である。・・・」（【００３８】〜【００４２】）
（摘示1-5）「・・・電解液としては、エチレンカーボネート、プロピレンカーボネート・・・などの非プロトン性有機溶媒に、ＬｉＣｌＯ4、ＬｉＢＦ4・・・などの電解質を溶解させた所定濃度の非水電解液を用いる。」（【００５８】）
（摘示1-6）「【発明の効果】本発明の二次電池は、正極に金属カルコゲン化合物を含み、前述のような炭素材料を負極として用いることにより、電池容量が大きく、充放電サイクル特性が優れている。」（【００６１】）
　
甲第２号証：特開平６−２０６９０号公報
（摘示2-1）「【請求項４】非晶化した表層を有する炭素質材料からなる負極を有することを特徴とする二次電池。」（特許請求の範囲の請求項４）
（摘示2-2）「炭素質材料としては、アルカリ金属等のイオンをドープ、脱ドープできるものであって・・・グラファイト類・・・等を特に限定することなく用いることができる。
　本発明においては、これらの炭素質材料に、非晶化度を上げる処理を行うことにより、非晶化した表層を有する炭素質材料とすることができる。この処理法としては、薬液酸化法、電解酸化法、気相酸化法などの表面酸化法が好ましく用いられる。薬液酸化法としては、硝酸、硫酸などの酸化性溶液や、カセイソーダ等のアルカリ性溶液に、炭素質材料を一定時間浸漬する方法などが用いられる。電解酸化法としては、酸性溶液、アルカリ性溶液等の溶液中で炭素質材料を正極とし、黒鉛板等を対極として通電することにより電解酸化する方法などか用いられる。また、気相酸化法としては、空気や酸素中で数百度に加熱する方法などが用いられる他、イオン注入やプラズマ照射などを用いることもできる。これらの処理により、表面が酸化されると同時に表面の非晶化が起こる。これらの方法は、単独でなく複数の処理を併用することも可能である。」（【００１０】〜【００１１】）
（摘示2-3）「このように非晶化した表層を有する炭素質材料により、容量が増大する理由は、現在のところ明らかではないが、陽イオンのドープ、脱ドープの反応は電気化学反応であり、炭素質材料の表面状態に大きく影響を受けると考えられ、表面処理によって、例えば表面がエッチングされるなどのミクロな構造変化を起こし、非晶化がなされるものと考えられ、こうした表面構造の変化により、リチウムイオンのドープ、脱ドープが起こりやすくなり、容量の増大に結び付くものと考えられる。」（【００１２】）
（摘示2-4）「電解液としては・・・リチウム塩を電解質として非水溶媒に溶解した非水電解液を用いることが好ましい。・・・」（【００１４】）
（摘示2-5）「正極としては、一般にリチウム二次電池の正極に用いられる、例えば二酸化マンガン、酸化コバルト、酸化バナジウムなどのような遷移金属酸化物や、二硫化チタンなどの遷移金属カルコゲン化合物等が使用可能である。」（【００１５】）
（摘示2-6）「【発明の効果】本発明により、充放電容量が増大した二次電池およびそれに適する電極材料を提供することができる。」（【００２３】）　
　　
４．対比・判断
４−１．本件発明１について
　従来、高容量を達成できる黒鉛系炭素材料を負極活物質として用いた二次電池においては、黒鉛系材料の結晶性が高いため電解液（非水系イオン伝導体）の分解を引き起こすので、黒鉛粒子の表面を低結晶性炭素で被覆した炭素材料を負極活物質に用いて、電解液の分解を抑えていたが、その負極活物質の製造工程における粉砕、混練、塗工等によって、黒鉛粒子を被覆した低結晶性炭素が剥離するという問題点を有していたところ、本件発明１は、負極活物質を、黒鉛粒子を酸化処理した後、非晶質炭素を黒鉛粒子の表面に付着させたものとして、非晶質炭素と黒鉛粒子との付着強度を向上することにより、電解液の分解によるガス発生により電極が破壊され、電池の容量低下、サイクル特性の劣化が生じるのが防止されるため、高容量かつサイクル特性が優れるという効果を奏するものである（本件本件明細書の【０００６】、【０００８】〜【００１１】、【００７８】）。
　これに対し、甲第１号証には、炭素質物の粒子状の核の表面に、炭素質物の表層を形成させた複層構造の炭素質材料を主成分として構成された負極と、金属カルコゲン化合物を含む正極をとを備えた二次電池（摘示1-1）が記載され、炭素質物の粒子状の核として、天然黒鉛又は人造黒鉛の粒子が用いられ（摘示1-3）、有機化合物を気相で熱分解させる方法、有機化合物を液相から炭素化させる方法、高分子化合物で被覆して、これを加熱・分解することにより、固相で炭素化させる方法等、即ち、炭素質物を付着させる方法により、上記黒鉛粒子の核の表面に炭素質物の表層を形成させること（摘示1-3、1-4）、金属カルコゲン化合物として、ＬｉＭｎ2 Ｏ4 、ＬｉＣｏＯ2 、ＬｉＮｉＯ2 などリチウムを含有するものが用いられること（摘示1-2）、二次電池の電解液には非水電解液が用いられること（摘示1-5）も開示されているから、甲第１号証には、摘示1-1〜1-5から、「表面に炭素質物を付着させた黒鉛粒子を主成分として構成された負極と、リチウムを含有するカルコゲン化物を含む正極と、非水電解液とを備え、負極活物質が炭素質物を黒鉛粒子の表面に付着させることにより形成される二次電池」の発明（以下、「甲第１号証発明」という。）が記載されているといえる。
　本件発明１（前者）と甲第１号証発明（後者）を対比すると、後者の「表面に炭素質物を付着させた黒鉛粒子」、「リチウムを含有するカルコゲン化物」、「非水電解液」はそれぞれ、「負極活物質」、「正極活物質」、「非水系イオン伝導体」であり、非水電解液を備える後者の「二次電池」は、「非水系二次電池」であるから、両者は、「表面に炭素を付着させた黒鉛粒子を負極活物質とする負極と、リチウムを含有するカルコゲン化物を正極活物質とする正極と、非水系イオン伝導体とからなり、前記負極活物質が炭素を黒鉛粒子の表面に付着させることにより形成される非水系二次電池」である点で一致し、以下の点で相違する。
相違点：前者は、黒鉛粒子の表面に付着させた炭素が「非晶質」であって、「負極活物質が黒鉛粒子を酸化処理した後、非晶質炭素を黒鉛粒子の表面に付着させることにより形成される」のに対し、後者は、黒鉛粒子の表面に付着させた炭素が非晶質であるかどうか不明であって、炭素を黒鉛粒子の表面に付着させるに際し、黒鉛粒子を酸化処理することは規定されていない点。
　上記相違点について検討する。
　甲第２号証には、非晶化した表層を有する炭素質材料からなる負極を有する二次電池（摘示2-1）が記載され、負極の炭素質材料には、グラファイト類を用いることができ（摘示2-2）、正極には、遷移金属カルコゲン化合物等が使用可能であること（摘示2-5）、電解液には、リチウム塩を電解質として非水溶媒に溶解した非水電解液を用いることが好ましいこと（摘示2-4）も記載されており、非晶化した表層を有する炭素質材料は負極活物質であり、遷移金属カルコゲン化合物は正極活物質であり、また、非水電解液は非水系イオン伝導体といえるものである。　
　よって、甲第２号証に記載される二次電池（摘示2-1）は、摘示2-1、2-2、2-4、2-5から、「非晶化した表層を有する黒鉛（グラファイト）を負極活物質とする負極と、遷移金属カルコゲン化合物を正極活物質とする正極と、非水系イオン伝導体とからなる非水系二次電池」であり、黒鉛を負極活物質とする負極と、カルコゲン化物を正極活物質とする正極と、非水系イオン伝導体とからなる非水系二次電池である点において、甲第１号証発明と共通するものではある。
　しかし、甲第２号証の負極活物質である非晶化した表層を有する黒鉛は、黒鉛に非晶化度を上げる処理を行って、非晶化した表層を形成することにより作製されるものであり、その処理法は、薬液酸化法、電解酸化法、気相酸化法などの表面酸化法が用いられるのであるから（摘示2-2）、非晶化した表層は、非晶質炭素の層であると解されるが、黒鉛表面を酸化処理により非晶化したものであって、黒鉛に付着させたものではない。
　さらに、甲第２号証の負極活物質は、酸化処理（非晶化の処理）によって、黒鉛表面がミクロな構造変化を起こすことにより、リチウムイオンのドープ、脱ドープが起こりやすくなり、容量が増大するものと考えられる旨記載されているから（摘示2-3、2-6）、甲第２号証の負極活物質は、酸化処理（非晶化の処理）によって形成された非晶質炭素の表層を備えていることが、容量増大という電池性能にとって必要なのであって、酸化処理により形成された非晶質炭素の上に、さらに、付着により形成された非晶質炭素の表層を設けることを導くことはできない。
　そうすると、甲第１号証発明は、電池容量が大きいという効果を奏するものであり（摘示1-6）、甲第１号証発明と、甲第２号証の二次電池は、電池系（黒鉛を負極活物質とする負極と、カルコゲン化物を正極活物質とする正極と、非水系イオン伝導体とからなる非水系二次電池）、及び、電池容量が大きいという効果において共通するものであるが、甲第１号証発明において、電池容量の増大を目的として、黒鉛粒子の表面に付着させた炭素を、甲第２号証に記載のない黒鉛粒子の表面に付着させた非晶質炭素とすること、及び、黒鉛粒子を酸化処理した後、非晶質炭素を黒鉛粒子の表面に付着させて、上記相違点に係る本件発明１の発明特定事項を備えたものとすることは、当業者にとって容易であったとすることはできない。
　よって、本件発明１は、甲第１、２号証に記載された発明に基づいて当業者が容易に発明をすることができたものではない。
　そして、本件発明１は、相違点１、２に係る発明特定事項を備えることにより、高容量かつサイクル特性が優れるという効果を奏するものである。
　　
４−２．本件発明２〜９について
　本件発明２〜９は、請求項１、あるいは請求項１を引用する請求項をさらに特定するものであるから、上記相違点１、２に係る発明特定事項を本件発明１と共通に備えるものである。
　よって、本件発明２〜９は、「４−１．本件発明１について」に記載したと同様の理由により、甲第１、２号証に記載された発明に基づいて当業者が容易に発明をすることができたものではない。
　
４−３．本件発明１０について
　本件発明１０は、「黒鉛粒子を空気中で酸化処理した後、非晶質炭素を黒鉛粒子の表面に付着させて負極活物質を形成することを特徴とする負極活物質の製造方法。」をその発明特定事項とするものであるから、「負極活物質が黒鉛粒子を酸化処理した後、非晶質炭素を黒鉛粒子の表面に付着させることにより形成される」という上記相違点２に係る発明特定事項を、本件発明１と実質的に共通に備えるものである。
　よって、本件発明１０は、「４−１．本件発明１について」に記載したと同様の理由により、甲第１、２号証に記載された発明に基づいて当業者が容易に発明をすることができたものではない。
　
４−４．本件発明１１、１２について
　本件発明１１は、請求項１０をさらに特定するものであり、また、本件発明１２は、請求項１０あるいは請求項１０を引用する請求項１１をさらに特定するものである。
　よって、本件発明１１、１２は、本件発明１０の発明特定事項をすべて備えるものであるから、「４−３．本件発明１０について」に記載したと同様の理由により、甲第１、２号証に記載された発明に基づいて当業者が容易に発明をすることができたものではない。
　
４−５．本件発明１３について
　本件発明１３は、請求項１〜９のいずれかをさらに特定するものである。　よって、請求項１をさらに特定する本件発明１３は、「４−１．本件発明１について」に記載したと同様の理由により、また、請求項２〜９のいずれかをさらに特定する本件発明１３は、「４−２．本件発明２〜９について」に記載したと同様の理由により、甲第１、２号証に記載された発明に基づいて当業者が容易に発明をすることができたものではない。
　
４−６．本件発明１４について
　本件発明１４は、請求項１３をさらに特定するものであるから、「４−５．本件発明１３について」に記載したと同様の理由により、甲第１、２号証に記載された発明に基づいて当業者が容易に発明をすることができたものではない。
　
４−７．本件発明１７について
　本件発明１７は、「黒鉛粒子を硝酸で酸化処理した後、非晶質炭素を黒鉛粒子の表面に付着させて負極活物質を形成することを特徴とする負極活物質の製造方法。」をその発明特定事項とするものであるから、「負極活物質が黒鉛粒子を酸化処理した後、非晶質炭素を黒鉛粒子の表面に付着させることにより形成される」という上記相違点２に係る発明特定事項を、本件発明１と実質的に共通に備えるものである。
　よって、本件発明１７は、「４−１．本件発明１について」に記載したと同様の理由により、甲第１、２号証に記載された発明に基づいて当業者が容易に発明をすることができたものではない。
　
５．むすび
　以上のとおりであるから、特許異議申立ての理由及び証拠によっては本件発明１〜１４、１７に係る特許を取り消すことはできない。
　また、他に本件発明１〜４、１７に係る特許を取り消すべき理由を発見しない。
　よって、結論のとおり決定する。
【異議決定日】
平成１５年１０月２９日（２００３．１０．２９）